(57)【要約】【課題】カメラ本体側の機能や外部装置側の操作部材の種類が多岐にわたる場合でも、両者を連携することのできるカメラシステムおよびカメラを提供する。【解決手段】相互通信可能なカメラ本体１０と外部装置２０とを備えたカメラシステム１であって、カメラ本体１０は外部装置２０からの操作を許可する機能と当該機能の操作のための属性とを含む機能・属性情報１２２を有し、外部装置２０は電子的に設定を変更可能な操作部材２４と、その属性情報２２１とを有し、相互通信により、カメラ本体１０側の機能・属性情報１２２に含まれる属性情報１２２ｂと、外部装置側操作部材２４の属性情報２２１とを対応づけることで、外部装置側操作部材２４に割り当て可能なカメラ本体１０側機能を抽出する制御手段１１と、制御手段１１により抽出されたカメラ本体１０側機能の中から、外部装置側操作部材２４に割り当てる機能を選択可能な選択手段１４ａとを備える。【選択図】図１
2010087997.tif 000002
【特許請求の範囲】
【請求項１】
相互通信可能なカメラ本体と外部装置とを備えたカメラシステムであって、
前記カメラ本体は、前記外部装置からの操作を許可する機能と当該機能の操作のための属性とを含む機能・属性情報を有し、
前記外部装置は、電子的に設定を変更可能な操作部材と、前記操作部材の属性情報とを有し、
前記相互通信により、前記カメラ本体側の機能・属性情報に含まれる属性情報と、前記外部装置の操作部材の属性情報とを対応づけることで、前記外部装置の操作部材に割り当て可能な前記カメラ本体の機能を抽出する制御手段と、
前記制御手段により抽出された前記カメラ本体の機能の中から、前記外部装置の操作部材に割り当てる機能を選択可能な選択手段と、
を備えたことを特徴とするカメラシステム。
【請求項２】
請求項１に記載のカメラシステムであって、
前記カメラ本体は表示手段を備え、
前記制御手段は、前記外部装置の操作部材と当該外部装置の操作部材に割り当て可能な前記カメラ本体の機能との対応関係を、前記表示手段の表示画面にリストで表示すること、
を特徴とするカメラシステム。
【請求項３】
請求項１に記載のカメラシステムであって、
前記カメラ本体は表示手段を備え、
前記制御手段は、前記外部装置の操作部材と当該外部装置の操作部材に割り当て可能な前記カメラ本体の機能との対応関係を、前記表示手段の表示画面にグラフィック表示すること、
を特徴とするカメラシステム。
【請求項４】
請求項２又は３に記載のカメラシステムであって、
前記制御手段は、前記選択手段により選択された、前記外部装置の操作部材と当該外部装置の操作部材に割り当てられた前記カメラ本体の機能との割当結果を、前記表示手段の表示画面にリストで表示すること、
を特徴とするカメラシステム。
【請求項５】
請求項２又は３に記載のカメラシステムであって、
前記制御手段は、前記選択手段により選択された、前記外部装置の操作部材と当該外部装置の操作部材に割り当てられた前記カメラ本体の機能との割当結果を、前記表示手段の表示画面にグラフィック表示すること、
を特徴とするカメラシステム。
【請求項６】
請求項２〜５のいずれか１項に記載のカメラシステムであって、
前記選択手段により選択された、前記外部装置の操作部材と当該外部装置の操作部材に割り当てられた前記カメラ本体の機能との割当結果を、前記表示手段の表示画面にリスト表示するか又はグラフィック表示するかを切り替える切替手段を備えること、
を特徴とするカメラシステム。
【請求項７】
請求項１〜６のいずれか１項に記載のカメラシステムであって、
前記外部装置は、当該外部装置に装着可能な拡張操作部材の装着を検知する検知手段と、前記拡張操作部材の属性情報とを有し、
前記検知手段が前記拡張操作部材の装着を検知したときに、前記拡張操作部材の属性情報を前記外部装置の操作部材の属性情報に追加すること、
を特徴とするカメラシステム。
【請求項８】
請求項２〜７のいずれか１項に記載のカメラシステムであって、
前記外部装置は、当該外部装置自体の概略外観と前記操作部材の位置とを示す画像情報を有し、
前記カメラ本体の前記制御手段は、前記外部装置から前記画像情報を受信すると、当該画像情報に、前記外部装置側に割り当て可能な機能の識別情報を重ねて前記表示手段の表示画面に表示すること、
を特徴とするカメラシステム。
【請求項９】
請求項１〜８のいずれか１項に記載のカメラシステムであって、
前記外部装置は、前記操作部材自体又は前記操作部材の近傍に表示部材を備え、前記操作部材に割り当てられた前記カメラ本体側機能の識別情報を前記表示部材に表示すること、
を特徴とするカメラシステム。
【請求項１０】
外部装置と通信可能なカメラであって、
前記外部装置からの操作を許可する機能と当該機能の操作のための属性とを含む機能・属性情報を有し、
前記外部装置との通信により、前記機能・属性情報に含まれる属性情報と、前記外部装置側の電子的に設定を変更可能な操作部材の属性情報とを対応づけることで、前記外部装置の操作部材に割り当て可能な前記機能を抽出し、
抽出した前記機能の中から、前記外部装置の操作部材に割り当てる機能を選択可能な選択手段と、
を備えたことを特徴とするカメラ。
【発明の詳細な説明】
【技術分野】
【０００１】
本発明は、カメラシステムおよびカメラに関するものである。
【背景技術】
【０００２】
従来、カメラ本体側で操作される機能の一部を、カメラ本体に装着したアクセサリ（外部装置）側の操作部材で操作できるようにしたカメラシステムが知られている（例えば、特許文献１参照）。
【特許文献１】特開２００３−１７７２９４号公報
【発明の開示】
【発明が解決しようとする課題】
【０００３】
しかし、上記従来例では、アクセサリ（外部装置）側の操作部材の種類と、その操作部材で操作できるカメラ本体側の機能とがあらかじめ固定されていた。そのため、別のアクセサリや別種類の操作部材については対応できないことがある。また、同じアクセサリであっても、当初設定されていないカメラ本体側の機能の操作についても対応できないことがある。
【０００４】
本発明の課題は、カメラ本体側の機能やアクセサリ側の操作部材の種類が多岐にわたる場合でも、カメラ本体側の機能とアクセサリ側の操作部材とを連携することのできるカメラシステムおよびカメラを提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
請求項１に記載の発明は、相互通信可能なカメラ本体（１０）と外部装置（２０）とを備えたカメラシステム（１）であって、前記カメラ本体は、前記外部装置からの操作を許可する機能と当該機能の操作のための属性とを含む機能・属性情報（１２２）を保持し、前記外部装置は、電子的に設定を変更可能な操作部材（２４）と、前記操作部材（２４）の属性情報（２２１）とを保持し、前記相互通信により、前記カメラ本体側の機能・属性情報に含まれる属性情報（１２２ｂ）と、前記外部装置の操作部材の属性情報とを対応づけることで、前記外部装置の操作部材に割り当て可能な前記カメラ本体の機能を抽出する制御手段（１１）と、前記制御手段により抽出された前記カメラ本体の機能の中から、前記外部装置の操作部材に割り当てる機能を選択可能な選択手段（１４ａ）と、を備えたことを特徴とする。
請求項２に記載の発明は、請求項１に記載のカメラシステム（１）であって、前記カメラ本体（１０）は表示手段（１３）を備え、前記制御手段（１１）は、前記外部装置（２０）の操作部材（２４）と当該外部装置の操作部材に割り当て可能な前記カメラ本体（１０）の機能との対応関係を、前記表示手段の表示画面にリストで表示することを特徴とする。
請求項３に記載の発明は、請求項１に記載のカメラシステム（１）であって、前記カメラ本体（１０）は表示手段（１３）を備え、前記制御手段（１１）は、前記外部装置（２０）の操作部材（２４）と当該外部装置の操作部材に割り当て可能な前記カメラ本体の機能との対応関係を、前記表示手段の表示画面にグラフィック表示することを特徴とする。
請求項４に記載の発明は、請求項２又は３に記載のカメラシステム（１）であって、前記制御手段（１１）は、前記選択手段（１４ａ）により選択された、前記外部装置の操作部材（２４）と当該外部装置の操作部材に割り当てられた前記カメラ本体（１０）の機能との割当結果を、前記表示手段（１３）の表示画面にリストで表示することを特徴とするカメラシステムである。
請求項５に記載の発明は、請求項２又は３に記載のカメラシステム（１）であって、前記制御手段（１１）は、前記選択手段（１４ａ）により選択された、前記外部装置の操作部材（２４）と当該外部装置の操作部材に割り当てられた前記カメラ本体（１０）の機能との割当結果を、前記表示手段（１３）の表示画面にグラフィック表示することを特徴とするカメラシステムである。
請求項６に記載の発明は、請求項２〜５のいずれか１項に記載のカメラシステム（１）であって、前記選択手段（１４ａ）により選択された、前記外部装置の操作部材（２４）と当該外部装置の操作部材に割り当てられた前記カメラ本体（１０）の機能との割当結果を、前記表示手段（１３）の表示画面にリスト表示するか又はグラフィック表示するかを切り替える切替手段（１４ｂ）を備えることを特徴とする。
請求項７に記載の発明は、請求項１〜６のいずれか１項に記載のカメラシステム（１）であって、前記外部装置（２０）は、当該外部装置に装着可能な拡張操作部材（３０）の装着を検知する検知手段と、前記拡張操作部材の属性情報とを有し、前記検知手段が前記拡張操作部材の装着を検知したときに、前記拡張操作部材の属性情報を前記外部装置の操作部材の属性情報に追加することを特徴とするカメラシステムである。
請求項８に記載の発明は、請求項２〜７のいずれか１項に記載のカメラシステム（１）であって、前記外部装置（２０）は、当該外部装置自体の概略外観と前記操作部材（２４）の位置とを示す画像情報を有し、前記カメラ本体（１０）の前記制御手段（１１）は、前記外部装置から前記画像情報を受信すると、当該画像情報に、前記外部装置側に割り当て可能な機能の識別情報を重ねて前記表示手段（１３）の表示画面に表示することを特徴とする。
請求項９に記載の発明は、請求項１〜８のいずれか１項に記載のカメラシステム（１）であって、前記外部装置（２０）は、前記操作部材（２４）自体又は前記操作部材の近傍に表示部材（２３）を備え、前記操作部材に割り当てられた前記カメラ本体（１０）側機能の識別情報を前記表示部材に表示することを特徴とする。
請求項１０に記載の発明は、外部装置（２０）と通信可能なカメラ（１０）であって、前記外部装置からの操作を許可する機能と当該機能の操作のための属性とを含む機能・属性情報を有し、前記外部装置との通信により、前記機能・属性情報に含まれる属性情報と、前記外部装置側の電子的に設定を変更可能な操作部材（２４）の属性情報とを対応づけることで、前記外部装置の操作部材に割り当て可能な前記機能を抽出し、抽出した前記機能の中から、前記外部装置の操作部材に割り当てる機能を選択可能な選択手段（１４ａ）とを備えたことを特徴とする。
なお、符号を付して説明した構成は、適宜改良してもよく、また、少なくとも一部を他の構成物に代替してもよい。
【発明の効果】
【０００６】
本発明によれば、カメラ本体側の機能やアクセサリ側の操作部材の種類が多岐にわたる場合でも、カメラ本体側の機能とアクセサリ側の操作部材とを連携することのできるカメラシステムおよびカメラを提供することができる。
【発明を実施するための最良の形態】
【０００７】
以下、図面を参照して、本発明の実施形態について説明する。
【０００８】
［第１実施形態］
図１は、本発明によるカメラシステムの第１実施形態を示す概略的ブロック図である。このカメラシステム１は、互いに通信可能なカメラ本体１０と、外部装置（アクセサリ）２０とを備えたものである。
【０００９】
カメラ本体１０は、カメラ本体１０全体の動作を制御するカメラ制御回路１１を備えている。カメラ制御回路１１はＣＰＵで構成されている。また、カメラ制御回路１１には、システムメモリ１２、表示装置１３、操作部材１４、駆動装置１５が接続されている。
【００１０】
システムメモリ１２には、カメラ制御回路１１を動作させる図示しないプログラムが格納されている。また、システムメモリ１２は、図２に示すような標準連動規定１２１を保持している。標準連動規定１２１については後述する。さらに、システムメモリ１２は、図３に示すようなアクセサリ２０からの操作を許可するカメラ本体１０側の機能・属性情報１２２を保持している。カメラ本体１０側の機能・属性情報１２２についても後述する。
【００１１】
表示装置１３は、例えば、カメラ本体１０の背面に配置された液晶パネルで構成されている。表示装置１３には、撮影モードや絞り値、シャッタスピード値など各種の情報が表示されるほか、メニュー画面、静止画や動画などが表示される。また、表示装置１３は、後述するアクセサリ２０の各種の情報が表示される。
【００１２】
操作部材１４は、例えば、シャッターレリーズボタンやコマンドダイヤルの他、各種のレバー、スイッチ等で構成される。操作部材１４には、後述するように、選択部材（選択手段）１４ａ、切替部材（切替手段）１４ｂが含まれる。駆動装置１５は、例えば、ボディ駆動タイプのＡＦレンズ焦点調節機構駆動用の動力や、電動ズーム駆動用の動力等の各部の動力を発生するものであり、例えばＤＣモータで構成されている。
【００１３】
また、カメラ本体１０は、撮像素子１６、画像処理回路１７を備えている。撮像素子１６は、平面的に配置された複数の固体撮像素子で構成され、図示しないレンズにより結像された被写体像を固体撮像素子の受光面で受光し、画像信号に変換して画像処理部へ出力する。画像処理回路１７は、撮像素子１６から出力された画像信号に対し、ノイズ除去、Ａ／Ｄ変換、色補間処理、サイズ変更、符号化などの処理を必要に応じて行い、画像データを作成する。この画像データは図示しないバッファメモリに記憶された後、必要に応じてメモリカード１８に記録される。
【００１４】
さらに、カメラ本体１０は、アクセサリ２０との間で互いに通信し、情報を交換するための通信端子１９を備えている。
【００１５】
アクセサリ２０は、アクセサリ２０全体の動作を制御するアクセサリ制御回路２１を備えている。アクセサリ制御回路２１は、ＣＰＵで構成されている。このアクセサリ制御回路２１には、システムメモリ２２、表示装置２３、操作部材２４、駆動装置２５が接続されている。
【００１６】
第１実施形態では、アクセサリ２０として、図４に示すようなリモコン２０を使用している。リモコン（アクセサリ）２０は、操作部材２４として、ボタン（押しボタン）２４ａ、ダイヤル（回転電子ダイヤル）２４ｂを備えている。また、リモコン２０は、表示装置２３として、ボタン２４ａに埋め込まれた表示素子２３ａ、ダイヤル２４ｂの近傍に配置された表示素子２３ｂを備えている。
【００１７】
システムメモリ２２には、アクセサリ制御回路２１を動作させる図示しないプログラムが格納されている。また、システムメモリ２２は、図５に示すようなアクセサリ側操作部材２４（ボタン２４ａ、ダイヤル２４ｂ）の属性情報２２１が保持されている。アクセサリ側操作部材２４（ボタン２４ａ、ダイヤル２４ｂ）の属性情報２２１については後述する。また、システムメモリ２２は、図６に示すような、リモコン２０の概略外観と操作部材２４（ボタン２４ａ、ダイヤル２４ｂ）の位置を示す画像情報２２２が記憶されている。アクセサリ制御回路２１は、カメラ制御回路１１から機能設定情報要求を受信すると、システムメモリ２２に保持している属性情報２２１や画像情報２２２などを機能設定情報として送信する。図６は、送信した画像情報２２２をカメラ本体１０の表示装置１３に表示した状態を示す。
【００１８】
また、リモコン２０は、カメラ本体１０との間で互いに通信し、情報を交換するための通信端子２７を備えている。
【００１９】
ここで、図２に示す標準連動規定１２１について説明する。一般のカメラシステムの場合と同様に、カメラ本体１０とアクセサリ２０では、通信規約によって標準の連動方法が規定されている。アクセサリ２０側は、この標準連動規定１２１に基づいて各操作部材２４との対応がとられている。各操作部材２４は対応づけられた通信コマンドで信号を送信し、これを受信したカメラ本体１０は、通信識別番号に対応する機能を動作させる。
【００２０】
図２に示す標準連動規定１２１では、アクセサリ２０としてリモコン（アクセサリＡ）と交換レンズ（アクセサリＢ）とが想定されている。リモコン（アクセサリＡ）のボタンＡが、カメラ本体１０のシャッターレリーズ機能と対応づけられている。また、リモコン（アクセサリＡ）のダイヤルが、カメラ本体１０の露出補正機能と対応づけられている。
【００２１】
一方、交換レンズ（アクセサリＢ）のボタンＡが、カメラ本体１０のＡＦＯＮ機能と対応づけられている。また、交換レンズのボタンＢが、カメラ本体１０のＡＦＬ機能と対応づけられている。そして、カメラ本体１０のＡＥＬ機能と対応づけられているアクセサリはない。
【００２２】
例えば、リモコン（アクセサリＡ）のボタンＡが通信コマンド１でカメラ本体１０側に信号を送信すると、カメラ本体１０側はシャッターレリーズを行う。アクセサリ２０の種類によって搭載される操作部材２４は異なるが、この動作規定にしたがって動作する限りカメラシステム１内での互換性は得られる。
【００２３】
しかし、このままでは、標準連動規定１２１と異なる動作をすることが困難である。そこで、第１実施形態のカメラシステム１では、カメラ本体１０のシステムメモリ１２が、図３に示すようなアクセサリ２０からの操作を許可するカメラ本体１０側の機能・属性情報１２２を保持する。同時に、リモコン（アクセサリ）２０のシステムメモリ２２が、図５に示すようなアクセサリ側操作部材２４（ボタン２４ａ、ダイヤル２４ｂ）の属性情報２２１を保持している。
【００２４】
図３に示すように、アクセサリ２０からの操作を許可するカメラ本体１０側の機能・属性情報１２２には、機能名称（機能の識別情報）１２２ａと、これに対応する機能属性（値の範囲、動作形態）１２２ｂが含まれる。機能名称１２２ａには、シャッターレリーズ、ＡＦＯＮ、ＡＦＬ、ＡＥＬ、露出補正、前コマンドダイヤル、後コマンドダイヤル、クロップ、録音、が含まれる。
【００２５】
シャッターレリーズに対応する値の範囲は３値（ｏｆｆ／ｏｎ１／ｏｎ２）、動作形態は通常ｏｆｆ・自動復帰である。ＡＦＯＮに対応する値の範囲は２値（ｏｎ／ｏｆｆ）、動作形態は通常ｏｆｆ・自動復帰である。ＡＦＬに対応する値の範囲は２値（ｏｎ／ｏｆｆ）、動作形態は通常ｏｆｆ・自動復帰である。ＡＥＬに対応する値の範囲は２値（ｏｎ／ｏｆｆ）、動作形態は通常ｏｆｆ・自動復帰である。露出補正に対応する値の範囲は離散多値（方向／Ｓｔｅｐ数）、動作形態は状態固定である。前コマンドダイヤルに対応する値の範囲は離散多値（方向／Ｓｔｅｐ数）、動作形態は状態固定である。後コマンドダイヤルに対応する値の範囲は離散多値（方向／Ｓｔｅｐ数）、動作形態は状態固定である。クロップに対応する値の範囲は２値（ｏｎ／ｏｆｆ）、動作形態は状態固定又は、通常ｏｆｆ・自動復帰である。録音に対応する値の範囲は２値（ｏｎ／ｏｆｆ）、動作形態は通常ｏｆｆ・自動復帰である。
【００２６】
アクセサリ２０からの操作を許可するカメラ本体１０側の機能とは、標準連動規定１２１に含まれる機能の他に、（ａ）カメラ本体１０側の機能として搭載されているが、場合によってはアクセサリ２０側で操作したほうが操作しやすい可能性のあるもの、（ｂ）カメラ本体１０側で設定状態が機械的に表示されないもの、などの条件を満たすものをいう。
【００２７】
例えば、（１）レリーズ動作と並行して操作する機能（右手をレリーズ専用に使うため）、（２）動作状態表示がない機能（プッシュスイッチ、電子ダイヤル、電子レバーなど）、（３）液晶等の表示装置を用いてソフト的にのみ設定される機能（いわゆるメニュー機能）、などがある。これらの機能は、標準連動規定１２１に含まれるものの他は、カメラの仕様によって異なる。
【００２８】
また、動作形態とは、各機能のとりうる状態をいう。例えば、使用者が操作している間のみ信号を発生し、操作をやめると自動復帰するスイッチは、「通常ｏｆｆ・自動復帰」に分類する。いくつかの選択肢のうちどれかの状態に固定されるか、操作時のみ信号を発生し操作をやめても状態を維持するスイッチは「状態固定」に分類する。その他の属性値としては、操作信号の発生から動作までの許容遅延時間、状態読み出しの時間間隔、通信データの容量などが考えられる。
【００２９】
図５に示すように、アクセサリ側操作部材２４（ボタン２４ａ、ダイヤル２４ｂ）の属性情報２２１には、部材名称とそれに対応する部材属性（値の範囲、動作形態、位置）が含まれる。すなわち、部材名称には、ボタン２４ａ、ダイヤル（電子ダイヤル）２４ｂが含まれる。
【００３０】
ボタン２４ａに対応する値の範囲は３値（ｏｆｆ／ｏｎ１／ｏｎ２）、動作形態は通常ｏｆｆ・自動復帰、位置はリモコン２０本体である。ダイヤル（電子ダイヤル）２４ｂに対応する値の範囲は離散多値（方向／Ｓｔｅｐ数）、動作形態は状態固定、位置はリモコン２０本体である。
【００３１】
カメラ本体１０とリモコン２０との通信によって、カメラ制御回路１１は、図３に示すアクセサリ２０からの操作を許可するカメラ本体１０側の機能・属性情報１２２と、図５に示すアクセサリ側操作部材２４（ボタン２４ａ、ダイヤル２４ｂ）の属性情報２２１を取得する。カメラ制御回路１１は、取得したカメラ本体１０側の機能・属性情報１２２に含まれる属性情報１２２ｂと、アクセサリ側操作部材２４（ボタン２４ａ、ダイヤル２４ｂ）の属性情報２２１とを対応づける。そして、各操作部材２４（ボタン２４ａ、ダイヤル２４ｂ）の属性に合致する機能を抽出する。これにより、図７に示すように、アクセサリ側操作部材２４（ボタン２４ａ、ダイヤル２４ｂ）に割り当て可能なカメラ本体１０側機能が対応づけられる。
【００３２】
すなわち、ボタン２４ａに設定可能なカメラ本体１０側の機能には、シャッターレリーズが含まれる。ダイヤル２４ｂに設定可能なカメラ本体１０側の機能には、露出補正、前コマンドダイヤル、後コマンドダイヤルが含まれる。
【００３３】
図７に示すように、アクセサリ側操作部材２４（ボタン２４ａ、ダイヤル２４ｂ）と、これに割り当て可能なカメラ本体１０側機能との対応関係１３１は、カメラ本体１０の表示装置１３にリストで表示される。この表示によって使用者に選択肢を提示し、選択を促す。使用者は、図７に示す対応関係リスト１３１を見て、選択部材１４ａを操作することで、アクセサリ側操作部材２４（ボタン２４ａ、ダイヤル２４ｂ）に対応させるカメラ本体１０側機能を選択する。
【００３４】
すなわち、アクセサリ側操作部材２４のボタン２４ａに、カメラ本体１０側機能のシャッターレリーズを対応させる。また、アクセサリ側操作部材２４のダイヤル２４ｂに、カメラ本体１０側機能の例えば露出補正を対応させる。使用者が選択したこの対応結果（割当結果）１３２は、図８に示すように、カメラ本体１０の表示装置１３にリストで表示される。使用者は、図８に示す対応結果リスト（割当結果リスト）１３２を見て選択した内容を確認することができる。
【００３５】
一方、図７に示すような対応関係リスト１３１の内容は、図９に示すようにグラフィック表示することもできる。すなわち、図６に示すような画像情報２２２に、アクセサリ側操作部材２４（ボタン２４ａ、ダイヤル２４ｂ）に割り当て可能なカメラ本体１０側機能を重ね表示する。そして、使用者が、図示しないダイヤルを回して選択候補を表示させ、ボタンを押して決定することで、例えば、ボタン２４ａにシャッターレリーズを選択することができる。同様に、ダイヤル２４ｂに例えば露出補正（＋／−）を選択することができる。この場合はグラフィック表示であるから、使用者は、選択と同時にそれを確認することができる。
【００３６】
このようにして、アクセサリ側操作部材２４（ボタン２４ａ、ダイヤル２４ｂ）に対応させるカメラ本体１０側機能が選択・確認されると、カメラ本体１０とリモコン２０との相互通信によって、カメラ本体１０とリモコン２０が相互に設定情報を記憶する。すなわち、ボタン２４ａにシャッターレリーズを選択し、ダイヤル２４ｂに露出補正（＋／−）を選択した場合、図４に示すように、リモコン２０のボタン２４ａに埋め込まれた表示素子２３ａに「Ｓｈｕｔｔｅｒ」の文字が表示される。また、リモコン２０のダイヤル２４ｂ近傍に配置された表示素子２３ｂに「＋／−」の記号が表示される。
【００３７】
そして、リモコン２０のボタン２４ａが押されると、通信コマンド１の信号が送信され、カメラ本体１０はこれを受信すると、シャッターレリーズ機能として動作させる。また、リモコン２０のダイヤル２４ｂが＋側操作または−側操作されると、通信コマンド２の信号が送信され、カメラ本体１０はこれを受信すると、露出補正＋側または露出補正−側機能として動作させる。
【００３８】
以上、第１実施形態によると、以下の効果を有する。
（１）アクセサリ側操作部材２４（ボタン２４ａ、ダイヤル２４ｂ）と、これに割り当て可能なカメラ本体１０側機能との対応関係を、図７に示すようなリスト表示をすることで、使用者にとっては、選択した内容が理解しやすくなる。また図９に示すようなグラフィック表示することで、使用者にとっては、選択した内容が更に理解しやすくなる。
【００３９】
（２）リモコン２０は、操作部材２４ａに埋め込まれた表示素子２３ａ、操作部材２４ｂ近傍に配置された表示素子２３ｂに、選択された機能をそれぞれ表示するため、使用者は、複数種類の機能から選択した場合でも、何を選択したか分からなくなることがない。
【００４０】
［第２実施形態］
図１０は、本発明によるカメラシステムの第２実施形態を示す概略的ブロック図である。このカメラシステム２は、互いに通信可能なカメラ本体１０と、アクセサリ２０と、拡張操作部材３０とを備えたものである。
【００４１】
カメラ本体１０は、図１に示す第１実施形態のカメラ本体１０と同様のものである。そのため、図１に示すカメラ本体１０に含まれる構成要素と同様の構成要素には、図１で使用した符号と同じ符号を付けて示すことで、それらについての詳細な説明は省略する。
【００４２】
アクセサリ２０は、アクセサリ２０全体の動作を制御するアクセサリ制御回路２１を備えている。アクセサリ制御回路２１はＣＰＵで構成されている。このアクセサリ制御回路２１には、システムメモリ２２、表示装置２３、操作部材２４、駆動装置２５、検知部材２６が接続されている。
【００４３】
第２実施形態では、アクセサリ２０として、図１１に示すようなレンズ鏡筒２０を使用している。レンズ鏡筒（アクセサリ）２０は、通常は装着されていない拡張操作部材３０を装着可能となっている。
【００４４】
レンズ鏡筒２０は、操作部材２４として、標準で装備されるボタン２４ａ，２４ｂの他に、図１２に示すように、スイッチ（スライドスイッチ）を備えている。また、拡張操作部材３０は、操作部材３１としてダイヤル（電子ダイヤル）を備えている。
【００４５】
システムメモリ２２には、アクセサリ制御回路２１を動作させる図示しないプログラムが格納されている。また、システムメモリ２２は、図１２に示すようなレンズ鏡筒２０の操作部材２４（ボタン２４ａ，２４ｂ、スイッチ）の属性情報と、装着可能な拡張操作部材３０の操作部材３１（ダイヤル）の属性情報とを保持している。そして、拡張操作部材３０が装着されたことを検知部材２６が検知すると、拡張操作部材３０の操作部材（ダイヤル）３１の属性情報をレンズ鏡筒２０の操作部材２４（ボタン２４ａ，２４ｂ、スイッチ）の属性情報に追加して、図１２に示すような属性情報２２１として合成する。
【００４６】
また、システムメモリ２２には、図１３に示すような、レンズ鏡筒２０の概略外観と操作部材２４（ボタン２４ａ，２４ｂ）の位置を示す画像情報２２２が記憶されている。この画像情報２２２には、拡張操作部材３０の概略外観と位置も含まれる。図１３は、この画像情報２２２をカメラ本体１０へ送信することでカメラ本体１０の表示装置１３に表示した状態を示す。
【００４７】
また、レンズ鏡筒２０の通信端子２８と拡張操作部材３０の通信端子３２との間で互いに通信できるように構成されている。
【００４８】
カメラ本体１０とレンズ鏡筒２０との通信によって、カメラ制御回路１１は、図３に示すアクセサリ２０からの操作を許可するカメラ本体１０側の機能・属性情報１２２と、図１２に示すアクセサリ側操作部材２４（ボタン２４ａ，２４ｂ、スイッチ）および拡張操作部材３０の操作部材（ダイヤル）３１の属性情報２２１を取得する。
【００４９】
そして、カメラ制御回路１１は、取得したカメラ本体１０側の機能・属性情報１２２に含まれる属性情報１２２ｂと、アクセサリ側操作部材２４（ボタン２４ａ，２４ｂ、スイッチ）および拡張操作部材３０の操作部材（ダイヤル）３１の属性情報２２１とを対応づける。さらに、各操作部材２４（ボタン２４ａ，２４ｂ、スイッチ）および操作部材（ダイヤル）３１の属性に合致する機能を抽出する。これにより、図１４に示すように、アクセサリ側操作部材２４（ボタン２４ａ，２４ｂ、スイッチ）および操作部材（ダイヤル）３１に割り当て可能なカメラ本体１０側機能が対応づけられる。
【００５０】
図１４に示すような対応関係１３１は、カメラ本体１０の表示装置１３にリストで表示される。この表示によって使用者に選択肢を提示し、選択を促す。使用者は、図１４に示す対応関係リスト１３１を見て、選択部材１４ａを操作することで、アクセサリ側操作部材２４（ボタン２４ａ，２４ｂ、スイッチ）および操作部材（ダイヤル）３１に対応させるカメラ本体１０側機能を選択する。
【００５１】
使用者が選択した対応結果（割当結果）１３２は、図１５に示すように、カメラ本体１０の表示装置１３にリストで表示される。使用者は、図１５に示す対応結果リスト（割当結果リスト）１３２を見て選択した内容を確認することができる。
【００５２】
一方、図１４に示すような対応関係リスト１３１の内容は、図１６に示すようにグラフィック表示することもできる。すなわち、図１３に示すような画像情報２２２に、アクセサリ側操作部材２４（ボタン２４ａ，２４ｂ）および操作部材（ダイヤル）３１に割り当て可能なカメラ本体１０側機能を重ね表示する。そして、使用者が、図示しないダイヤルを回して選択候補を表示させ、ボタンを押して決定することで、任意に選択・確認することができる。
【００５３】
このようにして、アクセサリ側操作部材２４（ボタン２４ａ、２４ｂ）、および操作部材（ダイヤル）３１と、これに対応させるカメラ本体１０側機能が選択・確認されると、カメラ本体１０とレンズ鏡筒２０との相互通信によって、カメラ本体１０とレンズ鏡筒２０が相互に設定情報を記憶する。すなわち、拡張操作部材３０の操作部材３１に露出補正（＋／−）を選択した場合は、図１１(ｂ)に示すように、レンズ鏡筒２０のダイヤル３１の近傍に配置された表示装置２３に「＋／−」の記号が表示される。
【００５４】
以上、第２実施形態によると、以下の効果を有する。
（１）アクセサリ側操作部材２４（ボタン２４ａ，２４ｂ、スイッチ）および操作部材（ダイヤル）３１と、これに割り当て可能なカメラ本体１０側機能との対応関係を、図１４に示すようなリスト表示することにより、使用者にとっては、選択した内容が理解しやすくなる。とくに図１６に示すようなグラフィック表示することにより、使用者にとって、選択した内容が更に直感的に理解しやすくなる。
【００５５】
（２）レンズ鏡筒２０は、拡張操作部材３０の操作部材（ダイヤル）３１近傍に配置された表示素子２３ｂに、選択された機能を表示するため、使用者は、複数種類の機能から選択した場合でも、何を選択したか分からなくなることがない。
【００５６】
図１７は、カメラ本体１０とアクセサリ２０との通信による機能設定方法を示すカメラ本体１０側のフローチャートである。ここでは、カメラ本体１０側でアクセサリ２０側に付与する機能を設定する場合を示す。
【００５７】
ステップＳ１０１において、使用者がカメラ本体１０側でカスタムメニュー操作などを行うことにより、機能設定要求オン（ｏｎ）のトリガ信号が発生する。
【００５８】
ステップＳ１０２において、上記トリガ信号に基づき、カメラ制御回路１１はアクセサリ２０側に機能設定情報送信要求を送信する。
【００５９】
ステップＳ１０３において、カメラ制御回路１１は、アクセサリ２０からの機能設定情報を受信する。
【００６０】
ステップＳ１０４において、カメラ本体１０のカメラ制御回路１１は、機能リストと対応のとれる操作部材があるか否か判定する。ここで、ＮＯであれば、すなわち、動作可能な属性が合致する操作部材が存在しない場合は、ステップＳ１０５において、設定できない旨を表示し、設定を終了する。
【００６１】
一方、ステップＳ１０４において、ＹＥＳであれば、すなわち、動作可能な属性が合致する操作部材がある場合は、ステップＳ１０６において、操作部材と機能との対応可能リストを表示し、操作部材と、対応可能な機能とを使用者に選択させる。
【００６２】
ステップＳ１０７において、使用者が選択動作を完了すると、カメラ制御回路１１は、続いて、ステップＳ１０８において、コマンド番号と機能の対応をシステムメモリ１２に記憶する。
【００６３】
表示を伴う機能については、ステップＳ１０９において、カメラ制御回路１１は、その情報をアクセサリ側に送信する。アクセサリ制御回路２１では、表示素子に設定された機能を表示して、設定を終了する。
【００６４】
図１８は、カメラ本体１０とアクセサリ２０との通信による機能設定方法を示すアクセサリ２０側のフローチャートである。
【００６５】
ステップＳ２０１において、アクセサリ制御回路２１は、機能設定情報送信要求の有無を判断し、ここでＮＯである間は機能設定情報送信要求が来るまで待機する。
【００６６】
ステップＳ２０１でＹＥＳになると、すなわち、機能設定情報送信要求を受信すると、ステップＳ２０２において、アクセサリ制御回路２１は、拡張操作部材３０の有無を判断する。
【００６７】
ステップＳ２０２でＮＯであれば、すなわち、拡張操作部材３０が検出されなければ、ステップＳ２０４において、アクセサリ制御回路２１は、アクセサリ２０の操作部材２４と属性情報を取得する。
【００６８】
一方、ステップＳ２０２でＹＥＳであれば、ステップＳ２０３において、アクセサリ制御回路２１は、システムメモリ２２から拡張操作部材３０の操作部材３１と属性情報を取得する。その後、ステップＳ２０４において、システムメモリ２２からアクセサリ２０の操作部材２４と属性情報を取得する。
【００６９】
そして、ステップＳ２０５において、アクセサリ制御回路２１は、取得した操作部材２４（３１）と属性情報をカメラ本体１０側へ送信する。
【００７０】
［変形形態］
【００７１】
以上、説明した実施形態に限定されることなく、以下に示すような種々の変形や変更が可能であり、それらも本発明の範囲内である。
（１）第２実施形態では、レンズ鏡筒２０のシステムメモリ２２が、装着可能な拡張操作部材３０の操作部材（ダイヤル）３１の属性情報を保持する例について説明した。しかし、これに限らず、拡張操作部材３０にメモリを設け、これに操作部材（ダイヤル）３１の属性情報を保持しておき、拡張操作部材３０をレンズ鏡筒２０に装着したときにその属性情報をレンズ鏡筒２０に送信するようにしてもよい。
【００７２】
（２）第２実施形態では、レンズ鏡筒２０に拡張操作部材３０を装着する例について説明した。しかし、これに限らず、拡張操作部材３０にさらに別の拡張操作部材を装着するようにしてもよい。
【図面の簡単な説明】
【００７３】
【図１】本発明によるカメラシステムの第１実施形態を示す概略的ブロック図である。
【図２】標準連動規定についての説明図である。
【図３】外部装置からの操作を許可するカメラ本体側の機能・属性情報を示す説明図である。
【図４】外部装置としてのリモコンの概略的構成図である。
【図５】リモコン側操作部材の属性情報を示す説明図である。
【図６】リモコンの概略外観と操作部材の位置を示す画像情報の説明図である。
【図７】リモコン側操作部材とこれに割り当て可能なカメラ本体側機能との対応関係をリストで示す説明図である。
【図８】使用者が選択した対応結果（割当結果）を示す説明図である。
【図９】リモコン側操作部材とこれに割り当て可能なカメラ本体側機能との対応関係をグラフィックで示す説明図である。
【図１０】本発明によるカメラシステムの第２実施形態を示す概略的ブロック図である。
【図１１】外部装置としてのレンズ鏡筒の概略的構成図である。
【図１２】レンズ鏡筒側操作部材の属性情報を示す説明図である。
【図１３】レンズ鏡筒の概略外観と操作部材の位置を示す画像情報の説明図である。
【図１４】レンズ鏡筒側操作部材とこれに割り当て可能なカメラ本体側機能との対応関係をリストで示す説明図である。
【図１５】使用者が選択した対応結果（割当結果）を示す説明図である。
【図１６】レンズ鏡筒側操作部材とこれに割り当て可能なカメラ本体側機能との対応関係をグラフィックで示す説明図である。
【図１７】カメラ本体と外部装置との間の通信による機能設定方法を示すカメラ本体側のフローチャートである。
【図１８】カメラ本体と外部装置との間の通信による機能設定方法を示す外部装置側のフローチャートである。
【符号の説明】
【００７４】
１，２：カメラシステム、１０：カメラ本体、１１：カメラ制御回路、１２：システムメモリ、１３：表示装置、１４：操作部材、１４ａ：選択部材、１４ｂ：切替部材、１５：駆動装置、１６：撮像素子、１７：画像処理回路、１８：メモリカード、１９：通信端子、２０：外部装置（アクセサリ）、リモコン、レンズ鏡筒、２１：アクセサリ制御回路、２２：システムメモリ、２３：表示装置、２４：操作部材、２５：駆動装置、２６：検知部材２７：通信端子、２８：通信端子、３０：拡張操作部材、３１：操作部材、３２：通信端子
【図１】
2010087997.tif 000003
【図２】
2010087997.tif 000004
【図３】
2010087997.tif 000005
【図４】
2010087997.tif 000006
【図５】
2010087997.tif 000007
【図６】
2010087997.tif 000008
【図７】
2010087997.tif 000009
【図８】
2010087997.tif 000010
【図９】
2010087997.tif 000011
【図１０】
2010087997.tif 000012
【図１１】
2010087997.tif 000013
【図１２】
2010087997.tif 000014
【図１３】
2010087997.tif 000015
【図１４】
2010087997.tif 000016
【図１５】
2010087997.tif 000017
【図１６】
2010087997.tif 000018
【図１７】
2010087997.tif 000019
【図１８】
2010087997.tif 000020